(57)【要約】【課題】ソース装置に無線中継可能な映像・音声フォーマットを選択させることが可能となり、さらに、従来映像・音声フォーマットが未対応であるため受信不能であったシンク装置でも映像・音声信号が受信可能となり、また、複数のシンク装置へ適切な映像・音声信号を伝送することが可能となる無線通信装置を提供することを目的とする。【解決手段】ＥＤＩＤ情報生成手段３０５は、ケーブル１０６ａ、１０６ｂを介して、シンク装置１０２ａ、１０２ｂがそれぞれ保持するＥＤＩＤメモリー３０７ａ、３０７ｂから読み出したＥＤＩＤ情報と、無線受信能力情報メモリー３０４に格納されている無線受信能力情報からＥＤＩＤ情報を生成して制御手段３０３へ出力する。制御手段３０３は、ＥＤＩＤ生成手段３０５より出力されたＥＤＩＤ情報を含むＥＤＩＤ応答信号を生成して、無線送受信回路３０１、アンテナ３０６を介して送信する。【選択図】図３
2011114353.tif 000002
【特許請求の範囲】
【請求項１】
ソース装置に有線接続され、映像・音声信号を無線送信するソース装置用アダプタ装置と、
複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのシンク装置用アダプタ装置であって、
前記シンク装置用アダプタ装置の少なくとも１つは、
自身が受信可能な出力映像フォーマット情報及び出力音声フォーマット情報の集合を格納した無線受信能力情報を記憶する記憶部と、
前記１つ又は複数のシンク装置より読み出した出力映像フォーマット情報及び出力音声フォーマット情報と、前記記憶部に記憶されている無線受信能力情報より、受信可能フォーマット情報を生成して前記記憶部に記憶させるＥＤＩＤ情報生成手段と、
前記ソース装置用アダプタ装置より、前記シンク装置の出力映像フォーマット情報及び出力音声フォーマット情報を要求する信号を受信すると、前記記憶部に記憶されている受信可能フォーマット情報を無線送信する制御手段とを備えたことを特徴とするシンク装置用アダプタ装置。
【請求項２】
前記ＥＤＩＤ情報生成手段は、前記１つ又は複数のシンク装置より読み出した出力映像フォーマット情報及び出力音声フォーマット情報の積集合を生成し、
前記フォーマット情報の積集合から、前記無線受信能力情報に含まれない出力映像フォーマット情報及び出力音声フォーマット情報を削除して、受信可能フォーマット情報を生成することを特徴とする請求項１記載のシンク装置用アダプタ装置。
【請求項３】
前記ＥＤＩＤ情報生成手段は、前記１つ又は複数のシンク装置より読み出した出力映像フォーマット情報及び出力音声フォーマット情報の和集合を生成し、
前記和集合から、前記無線受信能力情報に含まれない出力映像フォーマット情報及び出力音声フォーマット情報を削除して、受信可能フォーマット情報を生成することを特徴とする請求項１記載のシンク装置用アダプタ装置。
【請求項４】
前記受信した映像・音声信号のフォーマットを変換する１つまたは複数のフォーマット変換部を備え、
前記記憶部は、前記フォーマット変換部が変換可能なフォーマット情報を記憶し、
前記ＥＤＩＤ情報生成手段は、前記１つ又は複数のシンク装置より読み出した出力映像フォーマット情報及び出力音声フォーマット情報と、前記受信可能フォーマット情報の積集合または和集合を生成し、
前記積集合または和集合と前記記憶部が記憶しているフォーマット情報との和集合を生成し、
前記フォーマット情報との和集合から、前記無線受信能力情報に含まれない出力映像フォーマット情報及び出力音声フォーマット情報を削除して受信可能フォーマット情報を生成することを特徴とする請求項１記載のシンク装置用アダプタ装置。
【請求項５】
前記ＥＤＩＤ情報生成手段は、前記無線受信能力情報から前記受信可能フォーマット情報に含まれない出力映像フォーマット情報及び出力音声フォーマット情報を削除することを特徴とする請求項１ないし４記載のシンク装置用アダプタ装置。
【請求項６】
ソース装置に有線接続され、映像・音声信号を無線送信するソース装置用アダプタ装置と、
複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのソース装置用アダプタ装置において、
受信可能な映像・音声信号の出力映像フォーマット情報及び出力音声フォーマット情報を記憶するＥＤＩＤ情報記憶部と、
前記１つ又は複数のシンク装置用アダプタ装置が受信可能な出力映像フォーマット情報及び出力音声フォーマット情報の集合を格納した無線受信能力情報を記憶する記憶部と、
前記１つ又は複数のシンク装置用アダプタ装置より、前記無線受信能力情報及び出力映像フォーマット情報及び出力音声フォーマット情報を取得し、前記記憶部が記憶している無線受信能力情報とにより、受信可能フォーマット情報を生成し、ＥＤＩＤ情報記憶部に記憶させるＥＤＩＤ情報生成手段とを備えたことを特徴とするソース装置用アダプタ装置。
【請求項７】
前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の積集合を生成し、前記積集合から受信可能フォーマット情報を生成することを特徴とする請求項６記載のソース装置用アダプタ装置。
【請求項８】
前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の和集合を生成し、前記和集合から受信可能フォーマット情報を生成することを特徴とする請求項６記載のソース装置用アダプタ装置。
【請求項９】
前記無線送信する映像・音声信号のフォーマットを変換する１つまたは複数のフォーマット変換部を備え、
前記記憶部は前記フォーマット変換部が変換可能なフォーマット情報を記憶し、
前記ＥＤＩＤ情報生成部は、前記シンク装置用アダプタ装置毎に、前記記憶部に記憶されている当該シンク装置用アダプタ装置の無線受信能力情報とＥＤＩＤ情報記憶部に記憶されている受信可能な映像・音声信号の出力映像フォーマット情報及び出力音声フォーマット情報との積集合を生成し、
前記記憶部に記憶されているフォーマット情報と前記積集合との和集合を生成し、
前記和集合の積集合を受信可能フォーマット情報としたＥＤＩＤ情報を生成し、ＥＤＩＤ記憶部に記憶させることを特徴とする請求項６記載のソース装置用アダプタ装置。
【請求項１０】
ソース装置に有線接続され、映像・音声信号を無線送信するソース装置用アダプタ装置と、
複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのシンク装置用アダプタ装置の制御方法であって、
前記シンク装置用アダプタ装置の少なくとも１つは、
自身が受信可能な出力映像フォーマット情報及び出力音声フォーマット情報の集合を格納した無線受信能力情報を記憶する記憶部と、
前記１つ又は複数のシンク装置より読み出した出力映像フォーマット情報及び出力音声フォーマット情報と、前記記憶部に記憶されている無線受信能力情報より、受信可能フォーマット情報を生成して前記記憶部に記憶させるＥＤＩＤ情報生成手段と、
前記ソース装置用アダプタ装置より、前記シンク装置の出力映像フォーマット情報及び出力音声フォーマット情報を要求する信号を受信すると、前記記憶部に記憶されている受信可能フォーマット情報を無線送信する制御手段とを備えたことを特徴とするシンク装置用アダプタ装置の制御方法。
【請求項１１】
前記ＥＤＩＤ情報生成手段は、前記１つ又は複数のシンク装置より読み出した出力映像フォーマット情報及び出力音声フォーマット情報の積集合を生成し、
前記フォーマット情報の積集合から、前記無線受信能力情報に含まれない出力映像フォーマット情報及び出力音声フォーマット情報を削除して、受信可能フォーマット情報を生成することを特徴とする請求項１０記載のシンク装置用アダプタ装置の制御方法。
【請求項１２】
前記ＥＤＩＤ情報生成手段は、前記１つ又は複数のシンク装置より読み出した出力映像フォーマット情報及び出力音声フォーマット情報の和集合を生成し、
前記和集合から、前記無線受信能力情報に含まれない出力映像フォーマット情報及び出力音声フォーマット情報を削除して、受信可能フォーマット情報を生成することを特徴とする請求項１０記載のシンク装置用アダプタ装置の制御方法。
【請求項１３】
前記受信した映像・音声信号のフォーマットを変換する１つまたは複数のフォーマット変換部を備え、
前記記憶部は、前記フォーマット変換部が変換可能なフォーマット情報を記憶し、
前記ＥＤＩＤ情報生成手段は、前記１つ又は複数のシンク装置より読み出した出力映像フォーマット情報及び出力音声フォーマット情報と、前記受信可能フォーマット情報の積集合または和集合を生成し、
前記積集合または和集合と前記記憶部が記憶しているフォーマット情報との和集合を生成し、
前記フォーマット情報との和集合から、前記無線受信能力情報に含まれない出力映像フォーマット情報及び出力音声フォーマット情報を削除して受信可能フォーマット情報を生成することを特徴とする請求項１０記載のシンク装置用アダプタ装置の制御方法。
【請求項１４】
前記ＥＤＩＤ情報生成手段は、前記無線受信能力情報から前記受信可能フォーマット情報に含まれない出力映像フォーマット情報及び出力音声フォーマット情報を削除することを特徴とする請求項１０ないし１３記載のシンク装置用アダプタ装置の制御方法。
【請求項１５】
ソース装置に有線接続され、映像・音声信号を無線送信するソース装置用アダプタ装置と、
複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのソース装置用アダプタ装置の制御方法において、
受信可能な映像・音声信号の出力映像フォーマット情報及び出力音声フォーマット情報を記憶するＥＤＩＤ情報記憶部と、
前記１つ又は複数のシンク装置用アダプタ装置が受信可能な出力映像フォーマット情報及び出力音声フォーマット情報の集合を格納した無線受信能力情報を記憶する記憶部と、
前記１つ又は複数のシンク装置用アダプタ装置より、前記無線受信能力情報及び出力映像フォーマット情報及び出力音声フォーマット情報を取得し、前記記憶部が記憶している無線受信能力情報とにより、受信可能フォーマット情報を生成し、ＥＤＩＤ情報記憶部に記憶させるＥＤＩＤ情報生成手段とを備えたことを特徴とするソース装置用アダプタ装置の制御方法。
【請求項１６】
前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の積集合を生成し、前記積集合から受信可能フォーマット情報を生成することを特徴とする請求項１５記載のソース装置用アダプタ装置の制御方法。
【請求項１７】
前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の和集合を生成し、前記和集合から受信可能フォーマット情報を生成することを特徴とする請求項１５記載のソース装置用アダプタ装置の制御方法。
【請求項１８】
前記無線送信する映像・音声信号のフォーマットを変換する１つまたは複数のフォーマット変換部を備え、
前記記憶部は前記フォーマット変換部が変換可能なフォーマット情報を記憶し、
前記ＥＤＩＤ情報生成部は、前記シンク装置用アダプタ装置毎に、前記記憶部に記憶されている当該シンク装置用アダプタ装置の無線受信能力情報とＥＤＩＤ情報記憶部に記憶されている受信可能な映像・音声信号の出力映像フォーマット情報及び出力音声フォーマット情報との積集合を生成し、
前記記憶部に記憶されているフォーマット情報と前記積集合との和集合を生成し、
前記和集合の積集合を受信可能フォーマット情報としたＥＤＩＤ情報を生成し、ＥＤＩＤ記憶部に記憶させることを特徴とする請求項１５記載のソース装置用アダプタ装置の制御方法。
【発明の詳細な説明】
【技術分野】
【０００１】
本発明は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に従って映像信号を無線送受信する無線通信システムにおいて、表示手段の設定情報の中継伝送を可能とする無線通信アダプタ装置、無線通信システム及びその制御方法に関するものである。
【背景技術】
【０００２】
非特許文献１で規格化されているＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格では、映像・音声信号の受信装置（シンク装置）が受信可能な映像・音声フォーマットの集合は、シンク装置に含まれるＥＤＩＤメモリーに記述されており、映像・音声信号の送信装置（ソース装置）は、ＥＤＩＤメモリーに記述されている映像・音声フォーマットの集合（ＥＤＩＤ情報）を、Ｄｉｓｐｌａｙ  Ｄａｔａ  Ｃｈａｎｎｅｌ（ＤＤＣ）と呼ぶ有線インタフェースを介して読み出し、送信すべき映像・音声フォーマットを決定する。
【０００３】
ＨＤＭＩ信号を無線伝送することが可能な従来の無線通信方式として、たとえば、非特許文献２で規格化されているＷｉｒｅｌｅｓｓＨＤ規格がある。ＷｉｒｅｌｅｓｓＨＤ規格においては、ＨＤＭＩ信号を無線伝送するための方法やＥＤＩＤ情報伝送の方法が記述されている。
【０００４】
以下、従来の無線通信方式について説明する。
【０００５】
図２０は従来の無線通信システムにおけるＥＤＩＤ情報の取得処理を示すシーケンス図である。図２０に示すように、シンク装置用アダプタ装置は、シンク装置のＥＤＩＤメモリーに格納されているＥＤＩＤ情報を読み出し、ＨＰＤ＿ＮＯＴＩＦＹメッセージをソース装置用アダプタ装置へ無線送信する。ソース装置用アダプタ装置は、ＨＰＤ＿ＮＯＴＩＦＹメッセージを受信すると、ＥＤＩＤ＿ＲＥＱＵＥＳＴメッセージ（ＥＤＩＤ要求信号）をシンク装置用アダプタ装置へ無線送信する。シンク装置用アダプタ装置は、ＥＤＩＤ＿ＲＥＱＵＥＳＴメッセージを受信すると、シンク装置のＥＤＩＤ情報を含むＥＤＩＤ＿ＲＥＳＰＯＮＳＥメッセージ（ＥＤＩＤ応答信号）をソース装置用アダプタ装置へ無線送信する。ソース装置用アダプタ装置は、ＥＤＩＤ＿ＲＥＳＰＯＮＳＥメッセージを受信すると、ＥＤＩＤ＿ＲＥＳＰＯＮＳＥメッセージに含まれるシンク装置のＥＤＩＤ情報を取り出し、ソース装置用アダプタ装置のＥＤＩＤメモリーへ保存する。ソース装置は、ソース装置用アダプタ装置のＥＤＩＤメモリーを読み出すことにより、シンク装置のＥＤＩＤ情報を取得することができる。
【０００６】
また、シンク装置用アダプタ装置は、当該シンク装置用アダプタ装置が受信可能な映像・音声フォーマット集合を含む無線受信能力情報を保持しており、ソース装置用アダプタ装置は、無線受信能力要求信号（ＣＡＰＡＢＩＬＩＴＹ＿ＲＥＱＵＥＳＴメッセージ）をシンク装置用アダプタ装置へ無線送信し、シンク装置用アダプタ装置は、無線受信能力要求信号を受信すると、無線受信能力情報を含む無線受信能力応答信号（ＣＡＰＡＢＩＬＩＴＹ＿ＲＥＳＰＯＮＳＥメッセージ）をソース装置用アダプタ装置へ無線送信する。ソース装置用アダプタ装置は、無線受信能力応答信号を受信すると、無線受信能力応答信号に含まれるシンク装置用アダプタ装置の無線受信能力情報を取り出し、無線受信能力情報に含まれる映像・音声フォーマット集合から、無線送信する映像・音声フォーマットを選択する。
【０００７】
以上説明したように、従来の無線通信方式によれば、ＥＤＩＤ情報を送受信するための有線インタフェースしか備えていないソース装置および、シンク装置においても、シンク装置用アダプタ装置およびソース装置用アダプタ装置を介して、ＥＤＩＤ情報を無線送受信することが可能な無線通信装置を構成することが可能となる。
【先行技術文献】
【非特許文献】
【０００８】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ，  Ｖｅｒｓｉｏｎ  １．３ａ，  ＨＤＭＩ  Ｌｉｃｅｎｓｉｎｇ，  ＬＬＣ，  Ｎｏｖｅｍｂｅｒ  １０，  ２００６．
【発明の概要】
【発明が解決しようとする課題】
【０００９】
しかしながら、前記従来の構成では、ソース装置は、ソース装置用アダプタ装置のＥＤＩＤメモリーから読み出した、シンク装置のＥＤＩＤメモリーに格納されていたＥＤＩＤ情報に記載された映像・音声フォーマット集合の中から送信する映像・音声フォーマットを選択するため、ソース装置が選択した映像・音声フォーマットが、シンク装置用アダプタ装置とソース装置用アダプタ装置間で無線伝送可能な映像・音声フォーマット集合に含まれない場合、映像・音声信号が伝送不能となる場合があるという問題があった。
【００１０】
また、前記従来の構成では、シンク装置用アダプタ装置にシンク装置が複数接続されている場合や、シンク装置用アダプタ装置が複数接続されている場合に、ソース装置用アダプタ装置は、単一のシンク装置からのＥＤＩＤ情報しかソース装置へ提供できず、複数のシンク装置へ映像・音声信号を配信する場合に適切な映像・音声フォーマットを選択できないといった問題があった。
【００１１】
本発明は、上記従来の課題を解決するもので、ソース装置に無線中継可能な映像・音声フォーマットを選択させることが可能となり、さらに、従来映像・音声フォーマットが未対応であるため受信不能であったシンク装置でも映像・音声信号が受信可能となり、また、複数のシンク装置へ適切な映像・音声信号を伝送することが可能となる無線通信装置を提供することを目的とする。
【課題を解決するための手段】
【００１２】
上記課題を解決するために、本発明に係るシンク装置用アダプタ装置は、ソース装置に有線接続され、映像・音声信号を無線送信するソース装置用アダプタ装置と、複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのシンク装置用アダプタ装置であって、前記シンク装置用アダプタ装置の少なくとも１つは、自身が受信可能な出力映像フォーマット情報及び出力音声フォーマット情報の集合を格納した無線受信能力情報を記憶する記憶部と、前記１つ又は複数のシンク装置より読み出した出力映像フォーマット情報及び出力音声フォーマット情報と、前記記憶部に記憶されている無線受信能力情報より、受信可能フォーマット情報を生成して前記記憶部に記憶させるＥＤＩＤ情報生成手段と、前記ソース装置用アダプタ装置より、前記シンク装置の出力映像フォーマット情報及び出力音声フォーマット情報を要求する信号を受信すると、前記記憶部に記憶されている受信可能フォーマット情報を無線送信する制御手段とを備えている。
【００１３】
また、前記ＥＤＩＤ情報生成手段は、前記１つ又は複数のシンク装置より読み出した出力映像フォーマット情報及び出力音声フォーマット情報の積集合を生成し、前記フォーマット情報の積集合から、前記無線受信能力情報に含まれない出力映像フォーマット情報及び出力音声フォーマット情報を削除して、受信可能フォーマット情報を生成する。
【００１４】
また、前記ＥＤＩＤ情報生成手段は、前記１つ又は複数のシンク装置より読み出した出力映像フォーマット情報及び出力音声フォーマット情報の和集合を生成し、前記和集合から、前記無線受信能力情報に含まれない出力映像フォーマット情報及び出力音声フォーマット情報を削除して、受信可能フォーマット情報を生成する。
【００１５】
また、前記受信した映像・音声信号のフォーマットを変換する１つまたは複数のフォーマット変換部を備え、前記記憶部は、前記フォーマット変換部が変換可能なフォーマット情報を記憶し、前記ＥＤＩＤ情報生成手段は、前記１つ又は複数のシンク装置より読み出した出力映像フォーマット情報及び出力音声フォーマット情報と、前記受信可能フォーマット情報の積集合または和集合を生成し、前記積集合または和集合と前記記憶部が記憶しているフォーマット情報との和集合を生成し、前記フォーマット情報との和集合から、前記無線受信能力情報に含まれない出力映像フォーマット情報及び出力音声フォーマット情報を削除して受信可能フォーマット情報を生成する。
【００１６】
また、前記ＥＤＩＤ情報生成手段は、前記無線受信能力情報から前記受信可能フォーマット情報に含まれない出力映像フォーマット情報及び出力音声フォーマット情報を削除する。
【００１７】
本発明に係るソース装置用アダプタ装置は、ソース装置に有線接続され、映像・音声信号を無線送信するソース装置用アダプタ装置と、複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのソース装置用アダプタ装置において、受信可能な映像・音声信号の出力映像フォーマット情報及び出力音声フォーマット情報を記憶するＥＤＩＤ情報記憶部と、前記１つ又は複数のシンク装置用アダプタ装置が受信可能な出力映像フォーマット情報及び出力音声フォーマット情報の集合を格納した無線受信能力情報を記憶する記憶部と、前記１つ又は複数のシンク装置用アダプタ装置より、前記無線受信能力情報及び出力映像フォーマット情報及び出力音声フォーマット情報を取得し、前記記憶部が記憶している無線受信能力情報とにより、受信可能フォーマット情報を生成し、ＥＤＩＤ情報記憶部に記憶させるＥＤＩＤ情報生成手段とを備えている。
【００１８】
また、前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の積集合を生成し、前記積集合から受信可能フォーマット情報を生成する。
【００１９】
また、前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の和集合を生成し、前記和集合から受信可能フォーマット情報を生成する。
【００２０】
また、前記無線送信する映像・音声信号のフォーマットを変換する１つまたは複数のフォーマット変換部を備え、前記記憶部は前記フォーマット変換部が変換可能なフォーマット情報を記憶し、前記ＥＤＩＤ情報生成部は、前記シンク装置用アダプタ装置毎に、前記記憶部に記憶されている当該シンク装置用アダプタ装置の無線受信能力情報とＥＤＩＤ情報記憶部に記憶されている受信可能な映像・音声信号の出力映像フォーマット情報及び出力音声フォーマット情報との積集合を生成し、前記記憶部に記憶されているフォーマット情報と前記積集合との和集合を生成し、前記和集合の積集合を受信可能フォーマット情報としたＥＤＩＤ情報を生成し、ＥＤＩＤ記憶部に記憶させる。
【００２１】
本発明のシンク装置用アダプタ装置の制御方法は、ソース装置に有線接続され、映像・音声信号を無線送信するソース装置用アダプタ装置と、複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのシンク装置用アダプタ装置の制御方法であって、前記シンク装置用アダプタ装置の少なくとも１つは、自身が受信可能な出力映像フォーマット情報及び出力音声フォーマット情報の集合を格納した無線受信能力情報を記憶する記憶部と、前記１つ又は複数のシンク装置より読み出した出力映像フォーマット情報及び出力音声フォーマット情報と、前記記憶部に記憶されている無線受信能力情報より、受信可能フォーマット情報を生成して前記記憶部に記憶させるＥＤＩＤ情報生成手段と、前記ソース装置用アダプタ装置より、前記シンク装置の出力映像フォーマット情報及び出力音声フォーマット情報を要求する信号を受信すると、前記記憶部に記憶されている受信可能フォーマット情報を無線送信する制御手段とを備える。
【００２２】
また、前記ＥＤＩＤ情報生成手段は、前記１つ又は複数のシンク装置より読み出した出力映像フォーマット情報及び出力音声フォーマット情報の積集合を生成し、前記フォーマット情報の積集合から、前記無線受信能力情報に含まれない出力映像フォーマット情報及び出力音声フォーマット情報を削除して、受信可能フォーマット情報を生成する。
【００２３】
また、前記ＥＤＩＤ情報生成手段は、前記１つ又は複数のシンク装置より読み出した出力映像フォーマット情報及び出力音声フォーマット情報の和集合を生成し、前記和集合から、前記無線受信能力情報に含まれない出力映像フォーマット情報及び出力音声フォーマット情報を削除して、受信可能フォーマット情報を生成する。
【００２４】
また、前記受信した映像・音声信号のフォーマットを変換する１つまたは複数のフォーマット変換部を備え、前記記憶部は、前記フォーマット変換部が変換可能なフォーマット情報を記憶し、前記ＥＤＩＤ情報生成手段は、前記１つ又は複数のシンク装置より読み出した出力映像フォーマット情報及び出力音声フォーマット情報と、前記受信可能フォーマット情報の積集合または和集合を生成し、前記積集合または和集合と前記記憶部が記憶しているフォーマット情報との和集合を生成し、前記フォーマット情報との和集合から、前記無線受信能力情報に含まれない出力映像フォーマット情報及び出力音声フォーマット情報を削除して受信可能フォーマット情報を生成する。
【００２５】
また、前記ＥＤＩＤ情報生成手段は、前記無線受信能力情報から前記受信可能フォーマット情報に含まれない出力映像フォーマット情報及び出力音声フォーマット情報を削除する。
【００２６】
本発明に係るソース装置用アダプタ装置の制御方法は、ソース装置に有線接続され、映像・音声信号を無線送信するソース装置用アダプタ装置と、複数の出力映像フォーマット情報及び出力音声フォーマット情報を記憶する１つ又は複数のシンク装置に有線接続され、上記映像・音声信号を無線受信し、前記シンク装置に出力する１つ又は複数のシンク装置用アダプタ装置とを備えた無線通信システムのためのソース装置用アダプタ装置の制御方法において、受信可能な映像・音声信号の出力映像フォーマット情報及び出力音声フォーマット情報を記憶するＥＤＩＤ情報記憶部と、前記１つ又は複数のシンク装置用アダプタ装置が受信可能な出力映像フォーマット情報及び出力音声フォーマット情報の集合を格納した無線受信能力情報を記憶する記憶部と、前記１つ又は複数のシンク装置用アダプタ装置より、前記無線受信能力情報及び出力映像フォーマット情報及び出力音声フォーマット情報を取得し、前記記憶部が記憶している無線受信能力情報とにより、受信可能フォーマット情報を生成し、ＥＤＩＤ情報記憶部に記憶させるＥＤＩＤ情報生成手段とを備えている。
【００２７】
また、前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の積集合を生成し、前記積集合から受信可能フォーマット情報を生成する。
【００２８】
また、前記ＥＤＩＤ情報生成手段は、前記１つ又は複数のシンク装置より読み出した出力映像フォーマット情報及び出力音声フォーマット情報から、前記無線受信能力情報に含まれない出力映像フォーマット情報及び出力音声フォーマット情報を削除した１つ又は複数のフォーマット集合を生成し、前記１つ又は複数のフォーマット集合の和集合を生成し、前記和集合から受信可能フォーマット情報を生成する。
【００２９】
また、前記無線送信する映像・音声信号のフォーマットを変換する１つまたは複数のフォーマット変換部を備え、前記記憶部は前記フォーマット変換部が変換可能なフォーマット情報を記憶し、前記ＥＤＩＤ情報生成部は、前記シンク装置用アダプタ装置毎に、前記記憶部に記憶されている当該シンク装置用アダプタ装置の無線受信能力情報とＥＤＩＤ情報記憶部に記憶されている受信可能な映像・音声信号の出力映像フォーマット情報及び出力音声フォーマット情報との積集合を生成し、前記記憶部に記憶されているフォーマット情報と前記積集合との和集合を生成し、前記和集合の積集合を受信可能フォーマット情報としたＥＤＩＤ情報を生成し、ＥＤＩＤ記憶部に記憶させる。
【発明の効果】
【００３０】
以上のように、本発明の無線通信装置によれば、ソース装置に無線中継可能な映像・音声フォーマットを選択させることが可能となる。
【００３１】
さらに、従来映像・音声フォーマットが未対応であるため受信不能であったシンク装置でも映像・音声信号を受信可能となり、また、複数のシンク装置へ適切な映像・音声信号を伝送することが可能となる無線通信装置を提供することが可能となる。
【図面の簡単な説明】
【００３２】
【図１】本発明の実施の形態１における無線通信システムの一構成例を示すブロック図
【図２】本発明の実施の形態１におけるソース装置用アダプタ装置の一構成例を示すブロック図
【図３】本発明の実施の形態１におけるシンク装置用アダプタ装置の一構成例を示すブロック図
【図４】本発明の実施の形態１におけるＥＤＩＤ情報生成手段のＥＤＩＤ情報生成処理を示すフローチャート
【図５】本発明の実施の形態１におけるＥＤＩＤ情報及び無線受信能力情報の一例を示す図
【図６】本発明の実施の形態２におけるソース装置用アダプタ装置の一構成例を示すブロック図
【図７】本発明の実施の形態２におけるシンク装置用アダプタ装置の一構成例を示すブロック図
【図８】本発明の実施の形態２における無線受信能力情報の一例を示す図
【図９】本発明の実施の形態２におけるＥＤＩＤ情報生成手段のＥＤＩＤ情報生成処理を示すフローチャート
【図１０】本発明の実施の形態３におけるＥＤＩＤ情報生成手段のＥＤＩＤ情報生成処理を示すフローチャート
【図１１】本発明の実施の形態４におけるＥＤＩＤ情報生成手段のＥＤＩＤ情報生成処理を示すフローチャート
【図１２】本発明の実施の形態４におけるＥＤＩＤ情報の一例を示す図
【図１３】本発明の実施の形態５におけるシンク装置用アダプタ装置の一構成例を示すブロック図
【図１４】本発明の実施の形態５におけるＥＤＩＤ情報生成手段のＥＤＩＤ情報生成処理を示すフローチャート
【図１５】本発明の実施の形態５におけるＥＤＩＤ情報の一例を示す図
【図１６】本発明の実施の形態６におけるソース装置用アダプタ装置の一構成例を示すブロック図
【図１７】本発明の実施の形態６における無線受信能力情報及びＥＤＩＤ情報の一例を示す図
【図１８】本発明の実施の形態６におけるＥＤＩＤ情報生成手段のＥＤＩＤ情報生成処理を示すフローチャート
【図１９】本発明の実施の形態６におけるＥＤＩＤ情報及び無線受信能力情報の一例を示す図
【図２０】従来の無線通信システムのＥＤＩＤ情報取得処理を示すシーケンス図
【発明を実施するための形態】
【００３３】
以下に、本発明の実施の形態について、図面を参照しながら説明する。
【００３４】
（実施の形態１）
図１は、本発明の実施の形態１における無線通信システムの一構成例を示すブロック図である。
【００３５】
図１において、本実施の形態に係る無線通信システムは、例えばＤＶＤプレーヤなどを含むソース装置１０１と、例えばテレビジョン受像機等を含むシンク装置１０２ａ、及びシンク装置１０２ｂと、ソース装置用アダプタ装置１０３およびシンク装置用アダプタ装置１０４ａ、シンク装置用アダプタ装置１０４ｂとを備えて構成される。シンク装置用アダプタ装置１０４ａには、図示されていないシンク装置が少なくとも１台接続されている。なお、図１の無線通信システムの構成は、以下の実施の形態にも適用される。
【００３６】
ソース装置１０１、シンク装置１０２ａ、シンク装置１０２ｂは、ＨＤＭＩの従来の有線インタフェースのみを備えた装置として構成され、ソース装置用アダプタ装置１０３、シンク装置用アダプタ装置１０４ａ、シンク装置用アダプタ装置１０４ｂは、無線インタフェースと、ＨＤＭＩの従来の有線インタフェースとを備えた装置として構成される。また、ソース装置１０１とソース装置用アダプタ装置１０３はケーブル１０５で接続され、シンク装置用アダプタ装置１０４ｂとシンク装置１０２ａ、シンク装置１０２ｂは、それぞれケーブル１０６ａ、ケーブル１０６ｂで接続され、これらの装置は互いに有線インタフェースを用いてデータの伝送を行う。また、ケーブル１０５、ケーブ１０６ａ、１０６ｂはＨＤＭＩケーブルなどの映像データ及び音声データを伝送することが可能なケーブルである。また、ソース装置用アダプタ装置１０３と、シンク装置用アダプタ装置１０４ａ、シンク装置用アダプタ装置１０４ｂは、互いに無線インタフェースを用いて無線区間を介してデータの伝送を行う。
【００３７】
図２は、本発明の実施の形態１におけるソース装置用アダプタ装置１０３の一構成例を示すブロック図である。
【００３８】
図２において、ソース装置用アダプタ装置１０３は、無線送受信回路２０１と、有線送受信回路２０２と、制御手段２０３と、ＥＤＩＤメモリー２０４と、無線受信能力情報メモリー２０５とを備えて構成される。
【００３９】
無線送受信回路２０１は、ケーブル１０５、有線送受信回路２０２を介して、ソース装置１０１より読み出した映像信号及び音声信号を含むＡＶ信号をエンコードして送信パケットを生成し、所定の周波数を有する搬送波を、生成された送信パケットに従って変調することにより、無線ＡＶ信号を生成してアンテナ２０６を介して送信するとともに、制御手段２０３から出力されるデータ信号をエンコードし、送信パケット処理を生成して、所定の周波数を有する搬送波を、生成された送信パケットに従って変調することにより、無線データ信号を生成してアンテナ２０６を介して送信する。また、無線送受信回路２０１は、所定の周波数を有する無線データ信号をアンテナ２０６を介して受信して、周波数変換処理、受信パケット処理及びデコード処理を行った後、処理後のデータ信号を制御手段２０３に出力する。
【００４０】
有線送受信回路２０２は、ケーブル１０５を介してソース装置１０１から受信したＡＶ信号を、無線送受信回路２０１及びアンテナ２０６を介して送信するとともに、アンテナ２０６及び無線送受信回路２０１を介して受信したデータ信号を、ケーブル１０５を介してソース装置１０１に送信する。
【００４１】
制御手段２０３は、ソース装置１０１の機器ＩＤ（物理アドレス）をシンク装置に設定するための制御信号（ＥＤＩＤ要求信号、無線受信能力要求信号を含む）を含むデータ信号を生成して無線送受信回路２０１に出力するとともに、アンテナ２０６及び無線送受信回路２０１を介して受信したデータ信号に基づいて、無線通信処理を実行する。また、制御手段２０３は、ＥＤＩＤメモリー２０４、無線受信能力情報メモリー２０５からの読み出しと書き込みを行う。
【００４２】
ＥＤＩＤメモリー２０４は、接続先機器のＥＤＩＤ情報を格納したものであり、ソース装置１０１はケーブル１０５、有線送受信回路２０２を介して、ＥＤＩＤメモリー２０４からＥＤＩＤ情報を読み出す。無線受信能力情報メモリー２０５は、現在接続中のシンク装置用アダプタ装置の無線受信能力情報を格納したものであり、制御手段２０３が無線送受信回路２０１を介して、現在接続中のシンク装置用アダプタ装置の無線受信能力情報を取得して、格納する。
【００４３】
図３は、本発明の実施の形態１におけるシンク装置用アダプタ装置の一構成例を示すブロック図である。
【００４４】
図３において、シンク装置用アダプタ装置１０４ａとシンク装置用アダプタ装置１０４ｂは、同じ構成をとるので、ここでは、シンク装置用アダプタ装置１０４ｂを例にとって説明する。
【００４５】
図３に示すように、シンク装置用アダプタ装置１０４ｂは、無線送受信回路３０１と、有線送受信回路３０２と、制御手段３０３と、本発明のフォーマット情報生成手段に相当するＥＤＩＤ情報生成手段３０５と、無線受信能力情報メモリー３０４と、アンテナ３０６とを備えて構成される。
【００４６】
無線送受信回路３０１は、アンテナ３０６を介してソース装置用アダプタ装置１０３から送信された無線ＡＶ信号に対して、周波数変換処理、受信パケット処理及びデコード処理を行った後、処理後の映像信号及び音声信号を含むＡＶ信号を、ケーブル１０６ａを介してシンク装置１０２ａ、またはケーブル１０６ｂを介してシンク装置１０２ｂに出力するとともに、アンテナ３０６を介して受信された無線データ信号に対して、周波数変換処理、受信パケット処理及びデコード処理を行った後、処理後のデータ信号を制御手段３０３に出力する。また、無線送受信回路３０１は、制御手段３０３から出力されるデータ信号をエンコードし、送信パケットを生成して、所定の周波数を有する搬送波を送信パケットに従って変調することにより、無線データ信号を生成してアンテナ３０６を介してソース装置用アダプタ装置１０３に送信する。
【００４７】
有線送受信回路３０２は、アンテナ３０６及び無線送受信回路３０１を介してソース装置用アダプタ装置１０３から受信したＡＶ信号を、ケーブル１０６ａ、１０６ｂを介して、それぞれシンク装置１０２ａ、１０２ｂに送信するとともに、ケーブル１０６ａを介してシンク装置１０２ａからＥＤＩＤ情報を受信して、制御手段３０３に出力する。また、ケーブル１０６ｂを介してシンク装置１０２ｂからＥＤＩＤ情報を受信して、制御手段３０３に出力する。
【００４８】
制御手段３０３は、ソース装置１０１の機器ＩＤをシンク装置１０２ａ、１０２ｂそれぞれに設定するための制御信号（ＥＤＩＤ応答信号、無線受信能力応答信号を含む）を含むデータ信号を生成して有線送受信回路３０２に出力するとともに、アンテナ３０６及び無線送受信回路３０１を介してソース装置用アダプタ装置１０３から受信したデータ信号に基づいて、無線通信処理を実行する。無線受信能力情報メモリー３０４は、シンク装置用アダプタ装置１０４ｂが受信可能な映像・音声フォーマット集合を含む無線受信能力情報を格納する。
【００４９】
ＥＤＩＤ情報生成手段３０５は、制御手段３０３の制御に従って、有線送受信回路３０２、ケーブル１０６ａを介して読み出したシンク装置１０２ａのＥＤＩＤメモリー３０７ａに格納されているＥＤＩＤ情報と、有線送受信回路３０２、ケーブル１０６ｂを介して読み出したシンク装置１０２ｂのＥＤＩＤメモリー３０７ｂに格納されているＥＤＩＤ情報と、無線受信能力情報メモリー３０４に格納されているシンク装置用アダプタ装置１０４ｂの無線受信能力情報より、シンク装置用アダプタ装置１０４ｂの受信可能フォーマット情報を示すＥＤＩＤ情報を生成し、制御手段３０３に出力する。
【００５０】
以下、図面を参照して、本発明の実施の形態１の動作について説明する。
【００５１】
まず、ソース装置用アダプタ装置１０３の制御手段２０３は、シンク装置用アダプタ装置１０４ｂに向けて、無線受信能力要求信号（ＣＡＰＡＢＩＬＩＴＹ＿ＲＥＱＵＥＳＴメッセージ）を無線送受信回路２０１、アンテナ２０６を介して送信する。
【００５２】
シンク装置用アダプタ装置１０４ｂにおいて、制御手段３０３は、アンテナ３０６、無線送受信回路３０１を介して、無線受信能力要求信号を受信すると、無線受信能力情報メモリー３０４より、自身の無線受信能力情報を読み出し、読み出した無線受信能力情報を含む無線受信能力応答信号（ＣＡＰＡＢＩＬＩＴＹ＿ＲＥＳＰＯＮＳＥメッセージ）をソース装置用アダプタ装置１０３へ無線送信する。
【００５３】
ソース装置用アダプタ装置１０３は、ＣＡＰＡＢＩＬＩＴＹ＿ＲＥＳＰＯＮＳＥメッセージを受信すると、無線受信能力情報応答信号に含まれるシンク装置用アダプタ装置１０４ｂの無線受信能力情報を取り出し、シンク装置用アダプタ装置１０４ｂを特定する識別子（たとえば機器アドレスなど）と対応付けて無線受信能力情報メモリー２０５に格納する。
【００５４】
シンク装置用アダプタ装置１０４ｂの制御手段３０３は、ソース装置用アダプタ装置１０３よりＥＤＩＤ要求信号（ＥＤＩＤ＿ＲＥＱＵＥＳＴメッセージ）を受信すると、ＥＤＩＤ情報生成手段３０５を制御して、ＥＤＩＤ情報を生成させる。ＥＤＩＤ情報生成手段３０５は、ケーブル１０６ａ、ケーブル１０６ｂを介して、シンク装置１０２ａおよびシンク装置１０２ｂがそれぞれ保持するＥＤＩＤメモリー３０７ａ、ＥＤＩＤメモリー３０７ｂから読み出したＥＤＩＤ情報と、無線受信能力情報メモリー３０４に格納されている無線受信能力情報からＥＤＩＤ情報を生成して制御手段３０３へ出力する。制御手段３０３は、ＥＤＩＤ情報生成手段３０５より出力されたＥＤＩＤ情報を含むＥＤＩＤ応答信号（ＥＤＩＤ＿ＲＥＳＰＯＮＳＥメッセージ）を生成して、無線送受信回路３０１、アンテナ３０６を介して送信する。
【００５５】
ソース装置用アダプタ装置１０３において、制御手段２０３は、アンテナ２０６、無線送受信回路２０１を介してＥＤＩＤ＿ＲＥＳＰＯＮＳＥメッセージを受信すると、ＥＤＩＤ＿ＲＥＳＰＯＮＳＥメッセージに含まれるＥＤＩＤ情報を取り出し、ＥＤＩＤメモリー２０４に格納する。
【００５６】
ソース装置１０１は、ケーブル１０５に含まれる制御信号線を介して、ＥＤＩＤメモリー２０４からＥＤＩＤ情報を読み出し、ＥＤＩＤ情報に含まれる映像・音声フォーマット集合の中から、ソース装置１０１がケーブル１０５へ出力する映像・音声信号の映像・音声フォーマットを選択する。
【００５７】
図４は、本発明の実施の形態１におけるＥＤＩＤ情報生成手段３０５のＥＤＩＤ情報生成処理のフローチャートである。図５は、本発明の実施の形態１におけるＥＤＩＤ情報及び無線受信能力情報の一例を示す図である。
【００５８】
ＥＤＩＤ情報生成処理は、図４に示すように、積フォーマット取得ステップ４０１と、無線整合ステップ４０２とで構成されている。
【００５９】
以下、図５を用いて、図４のフローチャートを説明する。図５において、（ａ）は、シンク装置１０２ａのＥＤＩＤメモリー３０７ａから読み出したＥＤＩＤ情報、（ｂ）は、シンク装置１０２ｂのＥＤＩＤメモリー３０７ｂから読み出したＥＤＩＤ情報、（ｃ）は無線受信能力情報の一例である。
【００６０】
まず、積フォーマット取得ステップ４０１は、有線送受信回路３０２を介して読み出した１つまたは複数のＥＤＩＤ情報に含まれるそれぞれの映像・音声フォーマット集合の積集合を出力する。この場合、積フォーマット取得ステップの出力となるＥＤＩＤ情報は、両者の共通フォーマットであり、図５の（ｄ）に示すように、映像フォーマットＡ、映像フォーマットＢ、音声フォーマットＡ、音声フォーマットＢを含むものとなる。
【００６１】
次に、無線整合ステップ４０２は、無線受信能力情報から決定される無線受信不能な映像・音声フォーマットの集合をＥＤＩＤ情報から取得した映像・音声フォーマット集合から差し引く。上記例の場合、積フォーマット取得ステップ４０１が出力した、図５の（ｄ）に示すＥＤＩＤ情報に無線整合ステップを適用すると、無線整合ステップの出力となるＥＤＩＤ情報は、図５の（ｄ）のＥＤＩＤ情報より、図５の（ｃ）の無線受信能力情報に含まれない、映像フォーマットＢ、音声フォーマットＢを除き、（映像フォーマットＡ、音声フォーマットＡ）を含むものとなる。
【００６２】
本構成により、シンク装置用アダプタ装置１０４ｂがソース装置用アダプタ装置１０３に送信するＥＤＩＤ情報に含まれる映像・音声フォーマット集合には、シンク装置用アダプタ装置１０４ｂに接続されたシンク装置１０２ａおよび１０２ｂのＥＤＩＤ情報に共通に含まれ、かつ、シンク装置用アダプタ装置１０４ｂが受信可能な映像・音声フォーマットのみが含まれることになる。
【００６３】
ソース装置１０１は、ソース装置用アダプタ装置１０３のＥＤＩＤメモリー２０４から読み出したＥＤＩＤ情報に含まれる映像・音声フォーマットで映像・音声信号を出力するため、無線中継不能な映像・音声フォーマットが選択されることがなくなり、かつ、無線中継した映像・音声は、シンク装置用アダプタ装置に接続されたシンク装置１０２ａおよび１０２ｂのＥＤＩＤ情報に共通に含まれる映像・音声フォーマットであるため、その何れにおいても受信可能な映像・音声フォーマットとなる。
【００６４】
本実施の形態によれば、シンク装置用アダプタ装置において、ＥＤＩＤ情報生成処理で生成されたＥＤＩＤ情報を元に、ソース装置が映像・音声信号の映像・音声フォーマットを決定するので、シンク装置用アダプタ装置に接続されているいずれのシンク装置でも映像・音声信号を受信することができる。
【００６５】
なお、本実施の形態では、シンク装置用アダプタ装置に接続されるシンク装置は２つとしたが、必ずしもこの限りではない。また、ソース装置用アダプタ装置に接続されるシンク装置用アダプタ装置は２つとしたが、必ずしもこの限りではない。また、ソース装置用アダプタ装置にも複数のソース装置が接続されていても構わない。以下の実施の形態においても同様である。
【００６６】
また、ＥＤＩＤ情報生成処理は、積フォーマット取得ステップ４０１の後に無線整合ステップ４０２を実行するものとしたが、必ずしもこの限りではない。例えば、シンク装置１０２ａと無線受信能力情報、シンク装置１０２ｂと無線受信能力情報との無線整合ステップを行った後に、積フォーマット取得ステップを行ってもよい。
【００６７】
また、例えば、シンク装置用アダプタ装置１０４ａから受信したＥＤＩＤ情報に基づいて、ソース装置１０１が選択した映像・音声信号の映像・音声フォーマットは、シンク装置用アダプタ装置１０４ｂから受信した無線受信能力情報の映像・音声フォーマット集合に含まれるとは限らないため、シンク装置用アダプタ装置１０４ｂに送信可能であるとは限らない。従って、どのシンク装置用アダプタ装置からのＥＤＩＤ情報をＥＤＩＤメモリー２０４に保持するかは、たとえばシンク装置用アダプタ装置ごとの優先度を勘案するなどの方法により、別途決定する必要がある。
【００６８】
また、たとえば、シンク装置１０２ａにＡＶ信号を伝送しない場合においては、ＥＤＩＤ情報生成処理においてシンク装置１０２ａから受信したＥＤＩＤ情報を考慮する必要はない。
【００６９】
（実施の形態２）
本実施の形態における無線通信システムの構成は、実施の形態１と同様である。本実施の形態と実施の形態１との相違点は、実施の形態１においては、シンク装置用アダプタ装置側で行っていたＥＤＩＤ情報生成をソース装置用アダプタ装置側で行う点である。
【００７０】
図６は、図１における無線通信システムにおいて、本発明の実施の形態２におけるソース装置用アダプタ装置の一構成例を示すブロック図である。
【００７１】
図６において、図２と同じ動作を行う構成要素については同じ符号を用い、説明を省略する。
【００７２】
図６において、ＥＤＩＤ情報生成手段６０６は、制御手段６０３の制御に従って、無線受信能力情報メモリー６０５に格納されている無線受信能力情報より、受信可能フォーマット情報を示すＥＤＩＤ情報を生成し、ＥＤＩＤメモリー２０４に格納する。
【００７３】
図７は、図１における無線通信システムにおいて、本発明の実施の形態２におけるシンク装置用アダプタ装置の一構成例を示すブロック図である。
【００７４】
図７において、図３と同じ動作を行う構成要素については同じ符号を用い、説明を省略する。
【００７５】
まず、ソース装置用アダプタ装置１０３の制御手段６０３は、シンク装置用アダプタ装置１０４ｂに向けて、ＣＡＰＡＢＩＬＩＴＹ＿ＲＥＱＵＥＳＴメッセージを無線送受信回路２０１、アンテナ２０６を介して送信する。
【００７６】
シンク装置用アダプタ装置１０４ｂにおいて、制御手段７０３は、アンテナ３０６、無線送受信回路３０１を介して、ＣＡＰＡＢＩＬＩＴＹ＿ＲＥＱＵＥＳＴメッセージを受信すると、無線受信能力情報メモリー３０４より、自身の無線受信能力情報を読み出し、読み出した無線受信能力情報を含む無線受信能力応答信号ＣＡＰＡＢＩＬＩＴＹ＿ＲＥＳＰＯＮＳＥメッセージをソース装置用アダプタ装置１０３へ無線送信する。
【００７７】
ソース装置用アダプタ装置１０３において、制御手段６０３は、ＣＡＰＡＢＩＬＩＴＹ＿ＲＥＳＰＯＮＳＥメッセージを受信すると、ＣＡＰＡＢＩＬＩＴＹ＿ＲＥＳＰＯＮＳＥメッセージに含まれるシンク装置用アダプタ装置１０４ｂの無線受信能力情報を取り出し、シンク装置用アダプタ装置１０４ｂを特定する識別子（たとえば機器アドレスなど）と対応付けて無線受信能力情報メモリー６０５に格納する。
【００７８】
同様に、制御手段６０３は、シンク装置用アダプタ装置１０４ａの無線受信能力情報を取得し、シンク装置用アダプタ装置１０４ａを特定する識別子と対応付けて無線受信能力情報メモリー６０５に格納する。
【００７９】
図８に、本発明の実施の形態２における無線受信能力情報メモリーに保存される無線受信能力情報の一例を示す。
【００８０】
図８において、識別子ａ、識別子ｂはそれぞれシンク装置用アダプタ装置１０４ａ、シンク装置用アダプタ装置１０４ｂを特定する識別子、無線受信能力情報ａ、無線受信能力情報ｂはそれぞれシンク装置用アダプタ装置１０４ａ、シンク装置用アダプタ装置１０４ｂから受信した無線受信能力情報である。
【００８１】
次に、ソース装置用アダプタ装置１０３の制御手段６０３は、シンク装置用アダプタ装置１０４ｂに向けて、ＥＤＩＤ＿ＲＥＱＵＥＳＴメッセージを無線送受信回路２０１、アンテナ２０６を介して送信する。
【００８２】
シンク装置用アダプタ装置１０４ｂの制御手段７０３は、アンテナ３０６、無線送受信回路３０１を介して、ソース装置用アダプタ装置１０３より、ＥＤＩＤ＿ＲＥＱＵＥＳＴメッセージを受信すると、有線送受信回路３０２を介して、シンク装置１０２ａのＥＤＩＤ情報とシンク装置１０２ｂのＥＤＩＤ情報との少なくとも１つを読み出し、その１つをシンク装置１０２ａよりＥＤＩＤ情報を取得し、取得したＥＤＩＤ情報を含むＥＤＩＤ＿ＲＥＳＰＯＮＳＥメッセージを生成して、無線送受信回路３０１、アンテナ３０６を介して、ソース装置用アダプタ装置１０３に向けて送信する。
【００８３】
ソース装置用アダプタ装置１０３の制御手段６０３は、アンテナ２０６、無線送受信回路２０１を介してＥＤＩＤ＿ＲＥＳＰＯＮＳＥメッセージを受信すると、ＥＤＩＤ＿ＲＥＳＰＯＮＳＥメッセージに含まれるＥＤＩＤ情報を取り出してＥＤＩＤ情報生成手段６０６に出力する。
【００８４】
同様に、制御手段６０３は、シンク装置用アダプタ装置１０４ａからＥＤＩＤ情報を取得し、ＥＤＩＤ情報生成手段６０６に出力する。
【００８５】
ＥＤＩＤ情報生成手段６０６は、受信したＥＤＩＤ情報と、無線受信能力情報メモリー６０５に格納されている無線受信能力情報より、新たなＥＤＩＤ情報を生成して、ＥＤＩＤメモリー２０４に格納する。
【００８６】
図９は、本発明の実施の形態２におけるＥＤＩＤ情報生成手段のＥＤＩＤ情報生成処理のフローチャートである。図９において、図４と同じ構成要素については同じ符号を用い、説明を省略する。
【００８７】
ＥＤＩＤ情報生成手段６０６の生成処理は、無線整合ステップ９０１と、積フォーマット取得ステップ４０１とで構成されている。
【００８８】
無線整合ステップ９０１では、入力となる無線受信能力情報が、無線受信能力情報メモリー６０５より読み出した、シンク装置用アダプタ装置１０４ａおよびシンク装置用アダプタ装置１０４ｂから受信した無線受信能力情報であり、ＥＤＩＤ情報が、制御手段６０３より出力された、シンク装置用アダプタ装置１０４ａおよびシンク装置用アダプタ装置１０４ｂから受信したＥＤＩＤ情報であることを除き、実施の形態１と同様の処理を行う。すなわち、無線受信能力情報ａから決定される無線受信不能な映像・音声フォーマットの集合をシンク装置用アダプタ装置１０４ａから受信したＥＤＩＤ情報の映像・音声フォーマット集合から差し引く。同様に、無線受信能力情報ｂから決定される無線受信不能な映像・音声フォーマットの集合をシンク装置用アダプタ装置１０４ｂから受信したＥＤＩＤ情報の映像・音声フォーマット集合から差し引く。
【００８９】
積フォーマット取得ステップ４０１は、入力となるＥＤＩＤ情報が、無線整合ステップ９０１により出力されたＥＤＩＤ情報であることを除き、実施の形態１と同様の処理を行う。
【００９０】
例えば、シンク装置用アダプタ装置１０４ｂがシンク装置１０２ａのＥＤＩＤ情報を送信し、シンク装置１０２ａのＥＤＩＤ情報を図５の（ａ）とする。また、シンク装置用アダプタ装置１０４ａが送信したＥＤＩＤ情報を図５の（ｂ）とする。また、シンク装置用アダプタ装置１０４ａから取得した無線受信能力情報ａとシンク装置用アダプタ装置１０４ｂから取得した無線受信能力情報ｂをともに図５の（ｃ）とする。
【００９１】
このとき、無線整合ステップ９０１の結果は、シンク装置用アダプタ装置１０４ａおよびシンク装置用アダプタ装置１０４ｂに対して、それぞれ、（映像フォーマットＡ、音声フォーマットＡ）、および、（映像フォーマットＡ、映像フォーマットＤ、音声フォーマットＡ、音声フォーマットＤ）となる。
【００９２】
次に、これらを入力として、積フォーマット取得ステップ４０１を実行すると、積フォーマット取得ステップ４０１の結果は、図５の（ｄ）となる。
【００９３】
本構成により、ソース装置用アダプタ装置１０３がＥＤＩＤメモリー２０４に格納するＥＤＩＤ情報に含まれる映像・音声フォーマット集合には、シンク装置用アダプタ装置１０４ｂに接続されたシンク装置１０２ａ及びシンク装置用アダプタ装置１０４ｂから受信したＥＤＩＤ情報に共通に含まれ、かつ、シンク装置用アダプタ装置１０４ａおよびシンク装置用アダプタ装置１０４ｂが受信可能な映像・音声フォーマットのみが含まれることになる。
【００９４】
すなわち、ソース装置１０１が、無線中継不能な映像・音声フォーマットを選択することがなくなり、かつ、無線中継した映像・音声信号は、シンク装置用アダプタ装置１０４ａおよびシンク装置用アダプタ装置１０４ｂからのＥＤＩＤ情報に共通に含まれる映像・音声フォーマットとなる。
【００９５】
なお、本実施の形態では、例えば、シンク装置用アダプタ装置１０４ｂは、シンク装置１０２ａのＥＤＩＤ情報を送信したが、シンク装置１０２ａのＥＤＩＤ情報とシンク装置１０２ｂのＥＤＩＤ情報との何れをソース装置用アダプタ装置１０３に送信するかは、例えば、シンク装置ごとの優先度を勘案するなどの方法により決定する。
【００９６】
また、たとえば、シンク装置用アダプタ装置１０４ａにＡＶ信号を伝送しない場合においては、ＥＤＩＤ情報生成処理においてシンク装置用アダプタ装置１０４ａから受信したＥＤＩＤ情報および無線受信能力情報を考慮する必要はない。
【００９７】
（実施の形態３）
本実施の形態では、実施の形態１におけるシンク装置用アダプタ装置の無線受信能力メモリーには、シンク装置用アダプタ装置に接続されているシンク装置が保持していないフォーマット情報を持たない場合について説明する。
【００９８】
図１０は、本発明の実施の形態３におけるＥＤＩＤ情報生成手段のＥＤＩＤ情報生成処理のフローチャートである。図１０において、図４と同じ構成要素については同じ符号を用い、説明を省略する。
【００９９】
本実施の形態は、本発明の実施の形態１と同様に構成したＥＤＩＤ情報生成手段３０５のＥＤＩＤ情報生成処理において、本発明の実施の形態１のステップに有線整合ステップ１００３を加えたものである。
【０１００】
有線整合ステップ１００３は、積フォーマット取得ステップ４０１で出力された映像・音声フォーマット集合に含まれない映像・音声フォーマットを、無線受信能力情報から削除するステップである。
【０１０１】
一例として、実施の形態１と同様に、無線受信能力情報に含まれる映像・音声フォーマットが、図５の（ｃ）であり、積フォーマット取得ステップ４０１の出力となるＥＤＩＤ情報が、図５の（ｄ）を含むものとする。この場合、有線整合ステップ１００３では、ＥＤＩＤ情報生成手段３０５は無線受信能力情報メモリー３０４に格納されている図５の（ｃ）に示す無線受信能力情報から、積フォーマット取得ステップ４０１の出力である図５の（ｄ）に含まれない、映像フォーマットＥ、音声フォーマットＥを削除する。これにより、無線受信能力情報メモリー３０４に格納される無線受信能力情報は、（映像フォーマットＡ、音声フォーマットＡ）を含むものとなる。
【０１０２】
本構成により、無線受信能力情報に含まれる映像・音声フォーマット集合からＥＤＩＤ情報に含まれない映像・音声フォーマットが削除され、ソース装置用アダプタ装置１０３が、ＥＤＩＤ情報に含まれない映像・音声フォーマットを選択することがなくなる。
【０１０３】
（実施の形態４）
図１１は、本発明の実施の形態４におけるＥＤＩＤ情報生成手段のＥＤＩＤ情報生成処理のフローチャートである。図１１において、図４と同じ構成要素については同じ符号を用い、説明を省略する。また、図１２は、本発明の実施の形態４におけるＥＤＩＤ情報の一例を示す図である。
【０１０４】
本実施の形態は、本発明の実施の形態１と同様に構成したＥＤＩＤ情報生成手段のＥＤＩＤ情報生成処理において、本発明の実施の形態１のステップの積フォーマット取得ステップ４０１のかわりに、和フォーマット取得ステップ１１０１を実行するものである。
【０１０５】
和フォーマット取得ステップ１１０１は、１つまたは複数のＥＤＩＤ情報に含まれるそれぞれの映像・音声フォーマット集合の和集合を出力するステップである。
【０１０６】
一例として、シンク装置１０２ａのＥＤＩＤメモリー３０７ａから読み出したＥＤＩＤ情報を図５の（ａ）、シンク装置１０２ｂのＥＤＩＤメモリー３０７ｂから読み出したＥＤＩＤ情報を図５の（ｂ）とすると、和フォーマット取得ステップ１１０１の出力となるＥＤＩＤ情報は、図１２のように、２つのＥＤＩＤ情報の和集合となる。また、無線受信能力情報を図５の（ｃ）とすると、無線整合ステップ４０２の出力は図５の（ｃ）となる。
【０１０７】
本構成とすることにより、シンク装置用アダプタ装置１０４ｂがソース装置用アダプタ装置１０３に送信するＥＤＩＤ情報に含まれる映像・音声フォーマット集合には、シンク装置用アダプタ装置１０４ｂに接続されたシンク装置１０２ａ、シンク装置１０２ｂの何れかのＥＤＩＤ情報に含まれ、かつ、シンク装置用アダプタ装置１０４ｂが受信可能な映像・音声フォーマットのみが含まれることになり、無線中継した映像・音声は、シンク装置用アダプタ装置１０４ｂに接続されたシンク装置１０２ａ、１０２ｂの何れかのＥＤＩＤ情報に含まれる映像・音声フォーマットであるため、必ずしもすべてにおいて受信可能ではないが、その少なくとも１つにおいては受信可能な映像・音声フォーマットとなる。
【０１０８】
なお、同様に、本発明の実施の形態２および後述する実施の形態６のＥＤＩＤ情報生成処理において、積フォーマット取得ステップ４０１のかわりに、和フォーマット取得ステップ１１０１を実行する構成とすることも可能である。この場合においては、ソース装置用アダプタ装置１０３がＥＤＩＤメモリー２０４に格納するＥＤＩＤ情報に含まれる映像・音声フォーマット集合は、シンク装置用アダプタ装置１０４ａおよびシンク装置用アダプタ装置１０４ｂの必ずしも双方へ送信可能ではないが、その少なくとも１つへは映像・音声を送信可能な映像・音声フォーマット集合となる。
【０１０９】
（実施の形態５）
図１３は、本発明の実施の形態５におけるシンク装置用アダプタ装置１０３の一構成例を示すブロック図である。
【０１１０】
図１３において、図３と同じ構成要素については同じ符号を用い、説明を省略する。
【０１１１】
フォーマット変換手段１３０６は、制御手段１３０３の制御に従って、アンテナ３０６、無線送受信回路３０１を介して受信した映像・音声データのフォーマットを変換して有線送受信回路３０２に出力する。フォーマット変換手段１３０６が対応可能なフォーマットはメモリー１３０５に格納されている。ＥＤＩＤ情報生成手段１３０４は、シンク装置１０２ａ、シンク装置１０２ｂと、メモリー１３０５に格納されているフォーマット変換手段１３０６のフォーマット情報より、受信可能フォーマット情報を示すＥＤＩＤ情報を生成し、メモリー１３０５に格納する。また、メモリー１３０５にはシンク装置用アダプタ装置１０４ｂの無線受信能力情報も格納されている。
【０１１２】
シンク装置用アダプタ装置１０４ｂは、アンテナ３０６、無線送受信回路３０１を介して映像・音声信号を受信し、フォーマット変換手段１３０６へ出力する。フォーマット変換手段１３０６は、映像・音声信号の映像・音声フォーマットを、シンク装置１０２ａ、シンク装置１０２ｂに共通なＥＤＩＤ情報に含まれる映像・音声フォーマット集合の何れかの映像・音声フォーマットに変更して有線送受信回路３０２に出力する。ＥＤＩＤ情報生成手段１３０４は、制御手段１３０３の制御に従って、シンク装置１０２ａ、シンク装置１０２ｂが保有しているＥＤＩＤ情報と、メモリー１３０５に格納されているフォーマット情報からＥＤＩＤ情報を生成する。
【０１１３】
図１４は、本発明の実施の形態５におけるＥＤＩＤ情報生成手段のＥＤＩＤ情報生成処理のフローチャートである。図１４において、図４と同じ構成要素については同じ符号を用いる。また、図１５は、本発明の実施の形態５におけるＥＤＩＤ情報の一例を示す図である。
【０１１４】
まず、積フォーマット取得ステップ４０１においては、ＥＤＩＤ情報生成手段１３０４は、実施の形態１と同様の動作を行い、生成したＥＤＩＤ情報をメモリー１３０５に格納する。
【０１１５】
フォーマット追加ステップ１４０１は、メモリー１３０５に格納されている積フォーマット取得ステップ４０１で得られたＥＤＩＤ情報に含まれる映像・音声フォーマット集合とフォーマット変換手段１３０６により変換可能なフォーマット集合との和集合を出力する。
【０１１６】
一例として、実施の形態１と同様に、積フォーマット取得ステップ４０１の出力となるＥＤＩＤ情報が、図５の（ｄ）であり、フォーマット変換手段１３０６が受け付け可能であるフォーマットを図１５の（ａ）のフォーマットであるとすると、フォーマット追加ステップ１４０１の出力となるＥＤＩＤ情報は、図１５の（ｂ）のようになる。
【０１１７】
本構成とすることにより、シンク装置用アダプタ装置１０４ｂがソース装置用アダプタ装置１０３に送信するＥＤＩＤ情報に含まれる映像・音声フォーマット集合には、シンク装置用アダプタ装置１０４ｂのフォーマット変換手段１３０６が変換可能な映像・音声フォーマット集合が含まれることになり、ソース装置用アダプタ装置１０３あるいはソース装置１０１が選択可能な映像・音声フォーマットを増加させることが可能となる。
【０１１８】
なお、シンク装置用アダプタ装置１０４ｂがソース装置用アダプタ装置１０３から受信した映像・音声信号の映像・音声フォーマットが、積フォーマット取得ステップ４０１の出力となるＥＤＩＤ情報に含まれる映像・音声フォーマット集合に含まれる場合、必ずしも、フォーマット変換を行う必要はない。
【０１１９】
（実施の形態６）
図１６は、本発明の実施の形態６におけるソース装置用アダプタ装置の一構成例を示すブロック図である。
【０１２０】
図１６において、図６と同じ構成要素については同じ符号を用い、説明を省略する。
【０１２１】
ソース装置用アダプタ装置１０３は、ケーブル１０５を介して接続されたソース装置１０１から受信した映像・音声信号の一部または全体をフォーマット変換手段１６０９ａ、１６０９ｂに出力する。フォーマット変換手段１６０９ａ、１６０９ｂは、映像・音声信号の映像・音声フォーマットをメモリー１６０８に記憶されている出力先ごとの映像・音声フォーマット情報に格納されているフォーマットに変換し、無線送受信回路２０１、アンテナ２０６を介してシンク装置用アダプタ装置１０４ａおよびシンク装置用アダプタ装置１０４ｂへ無線伝送する。
【０１２２】
メモリー１６０８には、出力先であるシンク装置用アダプタ装置を特定する識別子（たとえば機器アドレス）と出力先ごとの映像・音声フォーマット情報とを関連付けて保存するものである。本実施の形態においては、無線受信能力情報メモリーを兼ねた構成とした。
【０１２３】
図１７は、本発明の実施の形態６における無線受信能力情報及びＥＤＩＤ情報の一例を示す図である。
【０１２４】
図１７において、識別子ａ、識別子ｂはそれぞれシンク装置用アダプタ装置１０４ａ、シンク装置用アダプタ装置１０４ｂを特定する識別子、無線受信能力情報ａ、無線受信能力情報ｂはそれぞれシンク装置用アダプタ装置１０４ａ、シンク装置用アダプタ装置１０４ｂから受信した無線受信能力情報、ＥＤＩＤ情報ａ、ＥＤＩＤ情報ｂはそれぞれシンク装置用アダプタ装置１０４ａ、シンク装置用アダプタ装置１０４ｂから受信したＥＤＩＤ情報である。
【０１２５】
フォーマット変換手段１６０９ａは、無線受信能力情報ａに含まれる映像・音声フォーマット集合と、ＥＤＩＤ情報ａに含まれる映像・音声フォーマット集合の積集合に含まれる映像・音声フォーマットの１つを出力フォーマットとして映像・音声フォーマット変換を行う。同様に、フォーマット変換手段１６０９ｂは、無線受信能力情報ｂに含まれる映像・音声フォーマット集合と、ＥＤＩＤ情報ｂに含まれる映像・音声フォーマット集合の積集合に含まれる映像・音声フォーマットの１つを出力フォーマットとして映像・音声フォーマット変換を行う。
【０１２６】
図１８は、本発明の実施の形態６におけるＥＤＩＤ情報生成処理を示すフローチャートである。
【０１２７】
図１８において、図９と同じ構成要素については同じ符号を用い、説明を省略する。
【０１２８】
無線整合ステップ９０１において、無線受信能力情報ａに含まれる映像・音声フォーマット集合とＥＤＩＤ情報ａに含まれる映像・音声フォーマット集合との積集合ａ、および、無線受信能力情報ｂに含まれる映像・音声フォーマット集合とＥＤＩＤ情報ｂに含まれる映像・音声フォーマット集合との積集合ｂを出力する。フォーマット追加ステップ１８０２において、上記積集合ａとフォーマット変換手段１６０９ａが変換可能な入力フォーマット集合との和集合ａ、および、上記積集合ｂとフォーマット変換手段１６０９ａが変換可能な入力フォーマット集合との和集合ｂを出力する。積フォーマット取得ステップ４０１においては、上記和集合ａと和集合ｂとの積集合を映像・音声フォーマット集合として含むＥＤＩＤ情報を出力する。
【０１２９】
一例として、図１９を用いて説明する。図１９は、本発明の実施の形態６におけるＥＤＩＤ情報および無線受信能力情報の一例を示す図である。図１９において、（ａ）はＥＤＩＤ情報ａ、（ｂ）はＥＤＩＤ情報ｂ、（ｃ）は無線受信能力情報ａ、（ｄ）は無線受信能力情報ｂとする。また、フォーマット変換手段１６０９ａおよび１６０９ｂが受け付け可能であるフォーマットをともに図１５の（ａ）のフォーマットであるとする。
【０１３０】
まず、無線整合ステップ９０１によって、積集合ａ＝（映像フォーマットＡ、音声フォーマットＡ）、積集合ｂ＝（映像フォーマットＤ、音声フォーマットＤ）が出力される。次に、フォーマット追加ステップ１８０２によって、和集合ａとして、図１９（ｅ）、和集合ｂとして図１９（ｆ）が出力される。次に、積フォーマット取得ステップ４０１によって、図１９（ｇ）が、ＥＤＩＤ情報として出力される。
【０１３１】
本構成とすることにより、ソース装置用アダプタ装置１０３は、ソース装置用アダプタ装置１０３に接続されたシンク装置用アダプタ装置１０４ａ、シンク装置用アダプタ装置１０４ｂの無線受信能力情報やＥＤＩＤ情報に共通な映像・音声フォーマットがない場合においても、フォーマット変換可能な映像・音声フォーマットが入力される場合には、シンク装置が受信可能な映像・音声フォーマットの映像・音声信号を送信することが可能となる。
【０１３２】
なお、本実施の形態では、２つのフォーマット変換手段を用いてフォーマット変換を行ったが、フォーマット変換手段の数は、同時に送信するシンク装置用アダプタ装置の数、又は、同時に送信するフォーマット数に依存する。
【産業上の利用可能性】
【０１３３】
本発明にかかる無線通信装置は、ソース装置に無線中継可能な映像・音声フォーマットを選択させることが可能となり、さらに、従来映像・音声フォーマットが未対応であるため受信不能であったシンク装置でも映像・音声信号を受信可能となり、また、複数のシンク装置へ適切な映像・音声信号を伝送することが可能となり、ＨＤＭＩを無線中継する無線通信装置等として有用である。
【符号の説明】
【０１３４】
１０１  ソース装置
１０２ａ、１０２ｂ  シンク装置
１０３  ソース装置用アダプタ装置
１０４ａ、１０４ｂ  シンク装置用アダプタ装置
１０５、１０６ａ、１０６ｂ  ケーブル
２０１、３０１    無線送受信回路
２０２、３０２  有線送受信回路
２０３、３０３、６０３、７０３、１３０３  制御手段
２０４、３０７ａ、３０７ｂ  ＥＤＩＤメモリー
２０５、３０４、６０５  無線受信能力情報メモリー
２０６、３０６  アンテナ
３０５、６０６、１３０４  ＥＤＩＤ情報生成手段
４０１  積フォーマット取得ステップ
４０２、９０１  無線整合ステップ
１００３  有線整合ステップ
１１０１  和フォーマット取得ステップ
１３０５、１６０８  メモリー
１３０６、１６０９ａ、１６０９ｂ  フォーマット変換手段
１４０１、１８０２  フォーマット追加ステップ
【図１】
2011114353.tif 000003
【図２】
2011114353.tif 000004
【図３】
2011114353.tif 000005
【図４】
2011114353.tif 000006
【図５】
2011114353.tif 000007
【図６】
2011114353.tif 000008
【図７】
2011114353.tif 000009
【図８】
2011114353.tif 000010
【図９】
2011114353.tif 000011
【図１０】
2011114353.tif 000012
【図１１】
2011114353.tif 000013
【図１２】
2011114353.tif 000014
【図１３】
2011114353.tif 000015
【図１４】
2011114353.tif 000016
【図１５】
2011114353.tif 000017
【図１６】
2011114353.tif 000018
【図１７】
2011114353.tif 000019
【図１８】
2011114353.tif 000020
【図１９】
2011114353.tif 000021
【図２０】
2011114353.tif 000022